(57)【要約】【課題】  本発明は、回転体を一方向だけ回転させて、逆方向への回転を阻止するための特別な部品を不要にし、構造が簡単で、製造コストを低減できる磁力回転装置を提供する。【解決手段】  本磁力回転装置Ａによれば、回転体２の第１の傾斜面６に取り付けられた第１の永久磁石７と、固定体３の第２の傾斜面８に取り付けられた第２の永久磁石９との磁気反発力により、回転体２を所定の方向（矢印方向）に回転させることができる。従って、回転体２を一方向だけ回転させて、逆方向への回転を阻止するための特別な部品が不要であり、構造が簡単で、製造コストを低減できる。【選択図】  図１
2008312331.tif 000002
【特許請求の範囲】
【請求項１】
中空の本体と、
当該本体内に回転可能に取り付けられた回転体と、
前記本体内に固定して取り付けられた固定体と、
を有し、
前記回転体には側断面視略山形状の第１の傾斜面が形成され、当該第１の傾斜面に第１の永久磁石が取り付けられ、
前記固定体には側断面視略山形状の第２の傾斜面が形成され、当該第２の傾斜面に第２の永久磁石が取り付けられ、
前記第１の永久磁石と前記第２の永久磁石との磁気反発力により、前記回転体を所定の方向に回転させる、
ことを特徴とする磁力回転装置。
【請求項２】
前記本体内に設けられた回転軸を有し、
前記回転体は、前記回転軸に回転可能に取り付けられ、
前記固定体は、前記回転軸を貫通させる貫通孔が形成されている、
ことを特徴とする請求項１に記載の磁力回転装置。
【請求項３】
前記回転体は、前記本体に回転可能に取り付けられた回転軸と、当該回転軸に略垂直方向に延びて設けられた第１の基部と、当該第１の基部に前記回転軸に沿って突出して間隔を隔てて設けられた複数の第１の突出部とを有し、
前記固定体は、前記本体に固定して取り付けられた固定軸と、当該固定軸に略垂直方向に延びて設けられた第２の基部と、当該第２の基部に前記固定軸に沿って突出して間隔を隔てて設けられた複数の第２の突出部とを有し、
前記第１の突出部及び第２の突出部は互いに重合する状態に配置され、
前記第１の突出部に取り付けられた前記第１の永久磁石と前記第２の突出部に取り付けられた前記第２の永久磁石との磁気反発力により、前記回転体を所定の方向に回転させる、
ことを特徴とする請求項１に記載の磁力回転装置。
【請求項４】
前記第１の傾斜面及び第２の傾斜面には、前記第１の永久磁石の端部と前記第２の永久磁石の端部との間で作用する磁気を遮断するための遮断部が設けられている、
ことを特徴とする請求項１乃至３のいずれか１つの項に記載の磁力回転装置。
【発明の詳細な説明】
【技術分野】
【０００１】
本発明は、磁力回転装置に関し、特に、永久磁石の磁気反発力を利用して回転体を回転させる磁力回転装置に関する。
【背景技術】
【０００２】
一般に、発電機や駆動装置等に回転力を与える回転装置としては、モータが用いられている。
【０００３】
しかしながら、モータは、直流又は交流の電力を供給して回転磁力を発生させ、回転磁力にロータを追従させる電磁吸引力によってロータを回転させるように構成されている。従って、回転磁力を発生させるために、出力トルクに応じた回転磁力発生のための電力を供給しなければならない。そのため、エネルギー効率が悪く、騒音や発熱という問題があると共に、地球温暖化を助長するといった問題がある。
【０００４】
そこで、かかる問題を解決するために、永久磁石の磁気反発力を利用して回転体を回転させる磁力回転装置が開発されている。
【０００５】
例えば、特許文献１では、複数の回転板をその回転軸を揃えかつ離間して積層状に配列して層状回転体に成し、該層状回転体の各層の回転板には隣接層がある側の面に磁極形成手段をそれぞれ配設し、該磁極形成手段は隣接層の対向する回転板面に配設された磁極形成手段と同極を成し、かつ回転板の回転移動による隣接層の回転板間の相対的位置変位に対してそれを無くすような磁気反発力を該隣接層の回転板の磁極形成手段との間で生じるように構成されている回転装置が提案されている。
【０００６】
この回転装置によれば、入力層の回転板に与えた回転駆動力は、回転板の回転円周方向の変位に対して層間に発生する磁気反発力によって順次に隣接層の回転板に伝えられ、これにより層状回転体の各層の回転板が一緒になって回転する（以下、この技術を従来例という）。
【特許文献１】特開平５−２０９５８６号公報
【発明の開示】
【発明が解決しようとする課題】
【０００７】
従来例では、回転板であるフライホイールが、回転により相対する磁力の磁界に侵入する時に、回転力を得る反発力と同等の反発力が発生するため、実際に回転することは困難である。
【０００８】
仮に回転できたとしても、回転板であるフライホイールの平坦面上に永久磁石が配置されているので、一方向（正転方向）か逆方向（逆転方向）のどちらの方向に回転するかは、初動で方向を与えないと確定できない。そのため、フライホイールを一方向だけ回転させて、逆方向への回転を阻止するためにラチェットベアリングを介在させて中心軸に取り付ける必要がある。その結果、部品点数が多くなり、構造が複雑になるとともに、製造コストが増大する。
本発明は、上記課題を解決するためになされたものであり、回転体を一方向だけ回転させて、逆方向への回転を阻止するための特別な部品を不要にし、構造が簡単で、製造コストを低減できる磁力回転装置を提供することを目的とする。    
【課題を解決するための手段】
【０００９】
本発明の磁力回転装置は、中空の本体と、当該本体内に回転可能に取り付けられた回転体と、前記本体内に固定して取り付けられた固定体とを有し、前記回転体には側断面視略山形状の第１の傾斜面が形成され、当該第１の傾斜面に第１の永久磁石が取り付けられ、前記固定体には側断面視略山形状の第２の傾斜面が形成され、当該第２の傾斜面に第２の永久磁石が取り付けられ、前記第１の永久磁石と前記第２の永久磁石との磁気反発力により、前記回転体を所定の方向に回転させることを特徴とするものである。
【００１０】
前記本体内に設けられた回転軸を有し、前記回転体は、前記回転軸に回転可能に取り付けられ、前記固定体は、前記回転軸を貫通させる貫通孔が形成されていてもよい。
【００１１】
前記回転体は、前記本体に回転可能に取り付けられた回転軸と、当該回転軸に略垂直方向に延びて設けられた第１の基部と、当該第１の基部に前記回転軸に沿って突出して間隔を隔てて設けられた複数の第１の突出部とを有し、前記固定体は、前記本体に固定して取り付けられた固定軸と、当該固定軸に略垂直方向に延びて設けられた第２の基部と、当該第２の基部に前記固定軸に沿って突出して間隔を隔てて設けられた複数の第２の突出部とを有し、前記第１の突出部及び第２の突出部は互いに重合する状態に配置され、前記第１の突出部に取り付けられた前記第１の永久磁石と前記第２の突出部に取り付けられた前記第２の永久磁石との磁気反発力により、前記回転体を所定の方向に回転させるように構成してもよい。
【００１２】
前記第１の傾斜面及び第２の傾斜面には、前記第１の永久磁石の端部と前記第２の永久磁石の端部との間で作用する磁気を遮断するための遮断部が設けられているのが好ましい。
【発明の効果】
【００１３】
本発明に係る磁力回転装置によれば、回転体の第１の傾斜面に取り付けられた第１の永久磁石と、固定体の第２の傾斜面に取り付けられた第２の永久磁石との磁気反発力により、回転体を所定の方向に回転させることができるので、回転体を一方向だけ回転させて、逆方向への回転を阻止するための特別な部品が不要であり、構造が簡単で、製造コストを低減できる。
【発明を実施するための最良の形態】
【００１４】
以下、本発明の実施の形態について図面を参照して説明する。図１（Ａ）は本発明の第１の実施形態例に係る磁力回転装置を示す側面断面図、（Ｂ）は（Ａ）のｂ１−ｂ１線断面図、（Ｃ）は回転体を示す平面図、（Ｄ）は固定体を示す平面図、図２（Ａ）は第１の永久磁石の端部と第２の永久磁石の端部との作用を説明するための説明図、（Ｂ）は第１の傾斜面及び第２の傾斜面に遮断部が設けられている場合を示す説明図である。
【００１５】
図１に示すように、本発明の第１の実施形態例に係る磁力回転装置Ａは、中空の本体１と、本体１内に回転可能に取り付けられた複数の円板状の回転体２と、本体１内に固定して取り付けられた複数の固定体３と、本体１内に中心軸線Ｌに沿って設けられた回転軸４とを有する。
【００１６】
回転体２は、ベアリング５を介して回転軸４に回転可能に取り付けられている。
【００１７】
固定体３は、その周縁部が本体１の側壁に固定されているとともに、その中心部には回転軸４を貫通させる貫通孔３ａが形成されている。
【００１８】
回転体２と固定体３とは、回転軸４に沿って互いに隣接するように多層状に配置されている。
【００１９】
図１（Ｂ）及び（Ｃ）に示すように、回転体２の表面（上面）及び裏面（下面）には側断面視略山形状の第１の傾斜面６が形成されている。
【００２０】
また、回転体２の表面側の第１の傾斜面６のうち、回転方向（矢印方向）側に向かって上り勾配に形成された面に第１の永久磁石７が取り付けられている。
【００２１】
さらに、回転体２の裏面側の第１の傾斜面６のうち、回転方向（矢印方向）側に向かって下り勾配に形成された面に第１の永久磁石７が取り付けられている。
【００２２】
図１（Ｂ）及び（Ｄ）に示すように、固定体３の表面（上面）及び裏面（下面）には側断面視略山形状の第２の傾斜面８が形成されている。
【００２３】
また、固定体３の表面側の第２の傾斜面８のうち、回転方向（矢印方向）側に向かって下り勾配に形成された面に第２の永久磁石９が取り付けられている。
【００２４】
さらに、回転体２の裏面側の第２の傾斜面８のうち、回転方向（矢印方向）側に向かって上り勾配に形成された面に第２の永久磁石９が取り付けられている。
【００２５】
第１の永久磁石７と第２の永久磁石９は、互いに同極（Ｎ極同士又はＳ極同士）で向き合うように配置されているので、両者の間で磁気反発力が生じる。
【００２６】
なお、図２（Ａ）に示すように、第１の永久磁石７の端部と第２の永久磁石９の端部との間での引き付け合う（吸着する）磁気の作用により、回転体２が停止するおそれがある。そこで、図２（Ｂ）に示すように、第１の傾斜面６及び第２の傾斜面８の頂部には、第１の永久磁石７の端部と第２の永久磁石９の端部との間で作用する磁気を遮断するための遮断部１０が設けられているのが好ましい。遮断部１０は、第１の永久磁石７の端部と第２の永久磁石９の端部とに貼り付ける磁気遮断シートであってもよい。
【００２７】
本発明の第１の実施形態例に係る磁力回転装置Ａによれば、回転体２の第１の傾斜面６に取り付けられた第１の永久磁石７と、固定体３の第２の傾斜面８に取り付けられた第２の永久磁石９との磁気反発力により、回転体２を所定の方向（矢印方向）に回転させることができる。従って、回転体２を一方向だけ回転させて、逆方向への回転を阻止するための特別な部品が不要であり、構造が簡単で、製造コストを低減できる。
【００２８】
図３は本発明の第２の実施形態例に係る磁力回転装置を示す側面断面図である。
【００２９】
図３に示すように、本発明の第２の実施形態例に係る磁力回転装置Ｂでは、回転体２は、本体１にベアリング１７を介して回転可能に取り付けられた回転軸１１と、回転軸１１に略垂直方向に延びて設けられた第１の基部１２と、第１の基部１２に回転軸１１に沿って突出して間隔を隔てて設けられた複数の第１の突出部１３とを有する。
【００３０】
一方、固定体３は、本体１に固定して取り付けられた固定軸１４と、固定軸１４に略垂直方向に延びて設けられた第２の基部１５と、第２の基部１５に固定軸１４に沿って突出して間隔を隔てて設けられた複数の第２の突出部１６とを有する。
【００３１】
第１の突出部１３及び第２の突出部１６は互いに重合する状態に配置されている。
【００３２】
なお、図１（Ｂ）と同様に、第１の突出部１３の表面及び裏面には第１の傾斜面６が形成され、その第１の傾斜面６に第１の永久磁石７が取り付けられている。また、第２の突出部１６の表面及び裏面には第２の傾斜面８が形成され、その第２の傾斜面８に第２の永久磁石９が取り付けられている。これによって、第１の突出部１３に取り付けられた第１の永久磁石７と第２の突出部１６に取り付けられた第２の永久磁石９との磁気反発力により、回転体２を所定の方向に回転させることができる。
【００３３】
本発明の第２の実施形態例に係る磁力回転装置Ｂによれば、１つの回転体２及び１つの固定体３で構成されているので、第１の実施形態例のものに比べ、省スペース化を図ることができる。
【００３４】
本発明は、上記実施の形態に限定されることはなく、特許請求の範囲に記載された技術的事項の範囲内において、種々の変更が可能である。
【産業上の利用可能性】
【００３５】
本発明は、発電機や駆動装置等に回転力を与えるために用いられる。
【図面の簡単な説明】
【００３６】
【図１】（Ａ）は本発明の第１の実施形態例に係る磁力回転装置を示す側面断面図、（Ｂ）は（Ａ）のｂ１−ｂ１線断面図、（Ｃ）は回転体を示す平面図、（Ｄ）は固定体を示す平面図である。
【図２】（Ａ）は第１の永久磁石の端部と第２の永久磁石の端部との作用を説明するための説明図、（Ｂ）は第１の傾斜面及び第２の傾斜面に遮断部が設けられている場合を示す説明図である。
【図３】本発明の第２の実施形態例に係る磁力回転装置を示す側面断面図である。
【符号の説明】
【００３７】
Ａ：磁力回転装置
Ｂ：磁力回転装置
１：本体
２：回転体
３：固定体
３ａ：貫通孔
４：回転軸
５：ベアリング
６：第１の傾斜面
７：第１の永久磁石
８：第２の傾斜面
９：第２の永久磁石
１０：遮断部
１１：回転軸
１２：第１の基部
１３：第１の突出部
１４：固定軸
１５：第２の基部
１６：第２の突出部
１７：ベアリング
【図１】
2008312331.tif 000003
【図２】
2008312331.tif 000004
【図３】
2008312331.tif 000005